(57)【要約】【課題】設定したスイング範囲外で風向変更フラップが移動するのを防止する。【解決手段】この空気調和機は、左右フラップの移動に係る「立体スイング」又は「左右スイング」の設定がなされているか否かを判断する（ステップＳ２）。そして、「立体スイング」又は「左右スイング」の設定がなされている場合には（ステップＳ２：Ｙｅｓ）、左右フラップのスイング範囲が可動範囲の一部に設定されているか否かを判断する（ステップＳ３）。そして、ステップＳ３において、左右フラップのスイング範囲が設定されている場合には（ステップＳ３：Ｙｅｓ）、当該左右フラップを一旦基準位置に戻してから（ステップＳ４）、設定されたスイング範囲内で左右フラップの往復移動を開始する（ステップＳ５）。【選択図】図１３
2010121870.tif 000002
【特許請求の範囲】
【請求項１】
室内機の吹出口から吹き出される左右方向の風向を変更する風向変更フラップと、
前記風向変更フラップの移動を制御する制御手段とを備え、
前記制御手段は、前記風向変更フラップが移動することが可能な可動範囲の一部に設定されたスイング範囲において前記風向変更フラップをスイングさせる場合において、前記風向変更フラップを基準位置に戻すことを特徴とする、空気調和機。
【請求項２】
前記スイング範囲は、前記基準位置からの距離に基づいて設定されていることを特徴とする、請求項１に記載の空気調和機。
【請求項３】
前記基準位置は、前記可動範囲の端部に対応した位置に配置されることを特徴とする、請求項１又は２に記載の空気調和機。
【請求項４】
前記基準位置は、前記スイング範囲の両側に配置されることを特徴とする、請求項１〜３のいずれか１項に記載の空気調和機。
【請求項５】
前記制御手段は、前記スイング範囲が前記可動範囲の一部に設定されている場合において、前記室内機の運転開始時に、前記風向変更フラップを基準位置に戻すことを特徴とする、請求項１〜４のいずれか１項に記載の空気調和機。
【請求項６】
前記制御手段は、前記スイング範囲が前記可動範囲の一部に設定されている場合において、前記風向変更フラップの移動を開始する際に、前記風向変更フラップを基準位置に戻すことを特徴とする、請求項１〜５のいずれか１項に記載の空気調和機。
【請求項７】
前記制御手段は、前記スイング範囲が前記可動範囲の一部に設定された時に、前記風向変更フラップを基準位置に戻すことを特徴とする、請求項１〜６のいずれか１項に記載の空気調和機。
【請求項８】
前記制御手段は、前記風向変更フラップが前記基準位置に向かって移動するときに、前記風向変更フラップを前記基準位置に戻すことを特徴とする、請求項５〜７のいずれか１項に記載の空気調和機。
【請求項９】
前記風向変更フラップのスイング範囲は、前記室内機の据付位置に基づいて設定されることを特徴とする、請求項１〜８のいずれか１項に記載の空気調和機。
【発明の詳細な説明】
【技術分野】
【０００１】
本発明は、室内機の吹出口から吹き出される左右方向の風向を変更する風向変更フラップを備えた空気調和機に関する。
【背景技術】
【０００２】
近年、室内機の据付位置に応じて吹出口から吹き出される左右方向の風向を所望の範囲に設定することが可能な空気調和機が開発されている（例えば、特許文献１及び２参照）。この特許文献１及び２には、リモコン等の操作によって選択される据付位置に応じて、風向変更フラップの可動範囲が自動的に設定される技術が開示されている。
【特許文献１】特開平４−６２３４９号公報
【特許文献２】特開平６−５０５８８号公報
【発明の開示】
【発明が解決しようとする課題】
【０００３】
上記特許文献１及び２において、一例として室内機が部屋の左側に据え付けられた場合には、図１８に示すように、風向変更フラップ１１６のスイング範囲が右側に偏った範囲（図１８（ａ）の斜線範囲）に設定される。しかしながら、図１８（ｂ）に示すように、ユーザが手で風向変更フラップを移動させる等の誤った使い方等によって、風向変更フラップ１１６が移動された場合には、図１８（ａ）に示したスイング範囲（斜線範囲）で移動させたいにも関わらず、風向変更フラップ１１６が移動された分だけ、図１８（ａ）に示したスイング範囲（斜線範囲）からずれた範囲（図１８（ｂ）の斜線範囲）で移動してしまう。
【０００４】
そこで、この発明は、上記のような課題を解決するためになされたものであり、設定したスイング範囲外で風向変更フラップが移動するのを防止することが可能な空気調和機を提供することを目的とする。
【課題を解決するための手段】
【０００５】
第１の発明にかかる空気調和機は、室内機の吹出口から吹き出される左右方向の風向を変更する風向変更フラップと、風向変更フラップの移動を制御する制御手段とを備え、制御手段は、風向変更フラップが移動することが可能な可動範囲の一部に設定されたスイング範囲において風向変更フラップをスイングさせる場合において、風向変更フラップを基準位置に戻す。
【０００６】
この空気調和機では、風向変更フラップのスイング範囲が設定されている場合には風向変更フラップが一旦基準位置に戻されるので、スイング範囲外で風向変更フラップが移動してしまうのを防止することができる。従って、ユーザが手で風向変更フラップを移動させる等の誤った使い方等によって、風向変更フラップが移動された場合でも、適正なスイング範囲で風向変更フラップを移動させることができる。
【０００７】
第２の発明にかかる空気調和機は、第１の発明にかかる空気調和機において、スイング範囲は、基準位置からの距離に基づいて設定されている。なお、この「基準位置からの距離に基づいて設定」には、「基準位置からの角度に基づいて設定」、「基準位置からのステッピングモータに供給されるパルス数に基づいて設定」、及び、「基準位置からの移動時間に基づいて設定」が含まれる。
【０００８】
この空気調和機では、基準位置からの距離に基づいてスイング範囲が設定されているので、風向変更フラップを一旦基準位置に戻すことによって、基準位置からの距離に基づいて設定されたスイング範囲で風向変更フラップを移動させることが容易になる。
【０００９】
第３の発明にかかる空気調和機は、第１又は第２の発明にかかる空気調和機において、基準位置は、可動範囲の端部に対応した位置に配置される。
【００１０】
この空気調和機では、風向変更フラップの往復移動の起点となる可動範囲の端部を基準位置にすることにより、風向変更フラップを確実に基準位置に戻すことができる。
【００１１】
第４の発明にかかる空気調和機は、第１〜第３のいずれかの発明にかかる空気調和機において、基準位置は、スイング範囲の両側に配置される。
【００１２】
この空気調和機では、スイング範囲の両側の２箇所に基準位置を設けることによって、風向変更フラップから近い方を基準位置とする制御が可能となる。従って、風向変更フラップを基準位置まで戻すのに要する時間が短縮され、ユーザに対して違和感が無いように風向変更フラップの原点補正動作を行うことができる。
【００１３】
第５の発明にかかる空気調和機は、第１〜４のいずれかの発明にかかる空気調和機において、制御手段は、スイング範囲が可動範囲の一部に設定されている場合において、室内機の運転開始時に、風向変更フラップを基準位置に戻す。
【００１４】
この空気調和機では、空気調和機の運転開始時に風向変更フラップを基準位置に戻すことによって、ユーザに違和感が無いように風向変更フラップの原点補正動作を行うことができる。
【００１５】
第６の発明にかかる空気調和機は、第１〜第５のいずれかの発明にかかる空気調和機において、制御手段は、スイング範囲が可動範囲の一部に設定されている場合において、風向変更フラップの移動を開始する際に、風向変更フラップを基準位置に戻す。
【００１６】
この空気調和機では、風向変更フラップの移動を開始する際に風向変更フラップを基準位置に戻すことによって、ユーザに違和感が無いように風向変更フラップの原点補正動作を行うことができる。
【００１７】
第７の発明にかかる空気調和機は、第１〜第６のいずれかの発明にかかる空気調和機において、制御手段は、スイング範囲が可動範囲の一部に設定された時に、風向変更フラップを基準位置に戻す。
【００１８】
この空気調和機では、風向変更フラップのスイング範囲が設定された時に風向変更フラップを基準位置に戻すことによって、ユーザに違和感が無いように風向変更フラップの原点補正動作を行うことができる。
【００１９】
第８の発明にかかる空気調和機は、第５〜第７のいずれかの発明にかかる空気調和機において、制御手段は、風向変更フラップが基準位置に向かって移動する際に、風向変更フラップを基準位置に戻す。
【００２０】
この空気調和機では、風向変更フラップが基準位置に向かって移動する際に、その移動方向を変えることなく風向変更フラップが基準位置に戻されるので、ユーザに違和感が無いように風向変更フラップの原点補正動作を行うことができる。
【００２１】
第９の発明にかかる空気調和機は、第１〜第８のいずれかの発明にかかる空気調和機において、風向変更フラップのスイング範囲は、室内機の据付位置に基づいて設定される。
【００２２】
この空気調和機では、ユーザの誤った使い方等によって風向変更フラップが所定のスイング範囲外に移動された場合でも、据付位置に応じて設定された適正なスイング範囲で風向変更フラップを移動させることができる。
【発明の効果】
【００２３】
以上の説明に述べたように、本発明によれば、以下の効果が得られる。
【００２４】
第１の発明では、風向変更フラップのスイング範囲が設定されている場合には風向変更フラップが一旦基準位置に戻されるので、スイング範囲外で風向変更フラップが移動してしまうのを防止することができる。従って、ユーザが手で風向変更フラップを移動させる等の誤った使い方等によって風向変更フラップが移動された場合でも、適正なスイング範囲で風向変更フラップを移動させることができる。
【００２５】
また、第２の発明では、基準位置からの距離に基づいてスイング範囲が設定されているので、風向変更フラップを一旦基準位置に戻すことによって、基準位置からの距離に基づいて設定されたスイング範囲で風向変更フラップを移動させることが容易になる。
【００２６】
また、第３の発明では、風向変更フラップの往復移動の起点となる可動範囲の端部を基準位置をすることにより、風向変更フラップを確実に基準位置に戻すことができる。
【００２７】
また、第４の発明では、スイング範囲の両側の２箇所に基準位置を設けることによって、風向変更フラップから近い方を基準位置とする制御が可能となる。従って、風向変更フラップを基準位置まで戻すのに要する時間が短縮され、ユーザに対して違和感が無いように風向変更フラップの原点補正動作を行うことができる。
【００２８】
また、第５の発明では、空気調和機の運転開始時に風向変更フラップを基準位置に戻すことによって、ユーザに違和感が無いように風向変更フラップの原点補正動作を行うことができる。
【００２９】
また、第６の発明では、風向変更フラップの移動を開始する際に風向変更フラップを基準位置に戻すことによって、ユーザに違和感が無いように風向変更フラップの原点補正動作を行うことができる。
【００３０】
また、第７の発明では、風向変更フラップのスイング範囲が設定された時に風向変更フラップを基準位置に戻すことによって、ユーザに違和感が無いように風向変更フラップの原点補正動作を行うことができる。
【００３１】
また、第８の発明では、風向変更フラップが基準位置に向かって移動する際に、その移動方向を変えることなく風向変更フラップが基準位置に戻されるので、ユーザに違和感が無いように風向変更フラップの原点補正動作を行うことができる。
【００３２】
また、第９の発明では、ユーザの誤った使い方等によって風向変更フラップが所定のスイング範囲外に移動された場合でも、据付位置に応じて設定された適正なスイング範囲で風向変更フラップを移動させることができる。
【発明を実施するための最良の形態】
【００３３】
以下、図面に基づいて、本発明に係る空気調和機の実施形態について説明する。
【００３４】
図１は、本発明の一実施形態に係る空気調和機の全体構成を示した斜視図である。図２は、室内機の内部構成を示した側面図である。図３は、左右フラップのスイング範囲及び基準位置を示した模式図である。図４〜図６は、室内機の据付位置とその室内機の吹出口から吹き出される風向との関係を示した模式図である。図７は、蓋部を閉じた状態のリモコンを示した正面図であり、図８は、蓋部を開けた状態のリモコンを示した正面図である。図９は、リモコンの表示部に表示される据付位置選択画面である。以下、図１〜図９を参照して、本発明の一実施形態に係る空気調和機１について詳細に説明する。
【００３５】
この空気調和機１は、図１に示すように、室内の壁面等に設置される室内機１ａと、室外に設置される室外機１ｂと、室内機１ａと通信可能なリモコン１ｃとを備えている。
【００３６】
［室内機］
室内機１ａは、図２に示すように、主として、ケーシング１０と、そのケーシング１０内に配置される室内熱交換器１１及びファン１２とを備えている。このケーシング１０の上部には吸込口１３が設けられると共に、下部には吹出口１４が設けられている。ファン１２が駆動することによって吸込口１３から吸い込まれた室内空気は、室内熱交換器１１を通過することによって熱交換されて、吹出口１４を介して室内に吹き出される。ファン１２から吹出口１４に至る流路上には、吹出口１４に近い方から順に、上下フラップ１５，左右フラップ１６が配置されている。
【００３７】
上下フラップ１５は、吹出口１４から吹き出される空気の上下方向（Ｚ方向（図１及び図２参照））の風向を制御するために設けられている。この上下フラップ１５は、吹出口１４を閉鎖する閉状態から吹出口１４を開口する開状態に往復移動可能である。上下フラップ１５の移動は、リモコン１ｃの操作によって制御可能であって、ユーザによるリモコン１ｃの操作によって「上下スイング」又は「立体スイング」が選択されると、当該上下フラップ１５は上下方向に往復移動を開始する。なお、「上下スイング」とは、上下フラップ１５のみを往復移動させる制御をいい、「立体スイング」とは、上下フラップ１５と左右フラップ１６とを同時に往復移動させる制御をいう。
【００３８】
左右フラップ１６は、吹出口１４から吹き出される空気の左右方向（Ｘ方向（図１参照））の風向を制御するために設けられている。この左右フラップ１６は、図３に示すように、左右フラップ１６が移動する範囲を規制する左側構造当たりＰ１から右側構造当たりＰ２まで移動可能である。以下、この左側構造当たりＰ１から右側構造当たりＰ２までの、左右フラップ１６が移動することが可能な範囲を可動範囲とする。左右フラップ１６の移動は、リモコン１ｃの操作によって制御可能であって、ユーザによるリモコン１ｃの操作によって「左右スイング」又は「立体スイング」が選択されると、当該左右フラップ１６は左右方向に往復移動する。なお、「左右スイング」とは、左右フラップ１６のみを往復移動させる制御をいう。
【００３９】
また、本実施形態の室内機１ａでは、室内機１ａの据付位置に応じて吹出口１４から吹き出される左右方向の風向を所望の範囲に設定することが可能である。つまり、この室内機１ａでは、据付位置に応じて、左右フラップ１６が移動する範囲を上記した可動範囲の一部に設定することが可能である。以下、この左右フラップ１６の移動が設定された範囲をスイング範囲とする。具体的には、図４に示すように、室内の壁面の左側に室内機１ａを据え付ける場合（左側据付時）には、室内の右側に風が吹き出されるように、右側スイング角度（ＳＷＲＩＧＨＴ１）から左側スイング角度（ＳＷＬＥＦＴ２）までの範囲（以下、「右スイング範囲」とする）において左右フラップ１６のスイング範囲が限定される。また、図５に示すように、室内の壁面の中央部分に室内機１ａを据え付ける場合（中央据付時）には、吹出口１４から左右均等に風が吹き出されるように左側スイング角度（ＳＷＬＥＦＴ１）から右側スイング角度（ＳＷＲＩＧＨＴ１）までの範囲（以下、「中央スイング範囲」とする）において左右フラップ１６のスイング範囲が限定される。また、図６に示すように、室内の壁面の右側に室内機１ａを据え付ける場合（右側据付時）には、室内の左側に風が吹き出されるように左側スイング角度（ＳＷＬＥＦＴ１）から右側スイング角度（ＳＷＲＩＧＨＴ２）までの範囲において左右フラップ１６のスイング範囲（以下、「左スイング範囲」とする）が限定される。
【００４０】
［リモコン］
リモコン１ｃは、室内機１ａと赤外線通信可能であって、室内機１ａ及び室外機１ｂの制御に係る各種指令をユーザの操作に応じて送信する。このリモコン１ｃは、図７及び図８に示すように、主として、室内温度や設定温度等を表示する表示部２０と、各種ボタンを有する操作部２１とから構成されている。この操作部２１は、開閉可能な蓋部２２の外側に配置される運転／停止ボタン２１ａ，設定温度を変更する際に使用される温度調整ボタン２１ｂ等（図７参照）を有すると共に、当該蓋部２２の内側に配置されるメニューボタン２１ｃ，決定ボタン２１ｄ，風向変更ボタン（上下風向ボタン２１ｅ、左右風向ボタン２１ｆ）等（図８参照）を有している。
【００４１】
上記した「上下スイング」は、操作部２１に配置される上下風向ボタン２１ｅを押下することによって設定され、「左右スイング」は、操作部２１に配置される左右風向ボタン２１ｆを押下することによって設定され、「立体スイング」は、上下風向ボタン２１ｅ及び左右風向ボタン２１ｆを押下することによって設定される。
【００４２】
そして、本実施形態では、室内機１ａの据付位置に応じて左右フラップ１６のスイング範囲を可動範囲の一部に設定するには、操作部２１に配置されるメニューボタン２１ｃ（図８参照）を押下することによって表示部２０に表示される据付位置選択画面（図９参照）において、「左」，「中央」，「右」のいずれかを決定ボタン２１ｄ（図８参照）により選択する。これにより、「左」を選択した場合には、室内機１ａが左側据付だと認識して、左右フラップ１６のスイング範囲が右スイング範囲（図４（ｂ）参照）となり、「中央」を選択した場合には、室内機１ａが中央据付だと認識して、左右フラップ１６のスイング範囲が中央スイング範囲（図５（ｂ）参照）となり、「右」を選択した場合には、室内機１ａが右側据付だと認識して、左右フラップ１６のスイング範囲が左スイング範囲（図６（ｂ）参照）となる。
【００４３】
図１０は、図１に示した空気調和機の室内機及びリモコンの制御ブロック図である。図１１及び図１２は、左右フラップの動き出し方向と原点補正動作との関係を示した模式図である。次に、図１０を参照して、室内機１ａ及びリモコン１ｃの制御ブロックについて説明する。
【００４４】
リモコン１ｃには、リモコン１ｃの各部の動作を統括する制御部２３が設けられている。この制御部２３には、上記した操作部２１及び表示部２０と、赤外線送受信部２４とが接続されている。
【００４５】
また、室内機１ａには、室内機１ａの各部の動作を統括する制御部１７が設けられている。この制御部には、上下フラップ１５を移動させるステッピングモータ１５ａと、左右フラップ１６を移動させるステッピングモータ１６ａと、ファン１２を回転させるファンモータ１２ａと、リモコン１ｃの赤外線送受信部２４と通信可能に接続される赤外線送受信部１８とが接続されている。ステッピングモータ１５ａ及び１６ａは、制御部１７から送信されるパルス信号に応じて、その駆動が制御される。
【００４６】
本実施形態では、制御部１７は、ステッピングモータ１５ａ及び１６ａに送信したパルス信号の数に基づいて、上下フラップ１５及び左右フラップ１６の移動を制御している。そして、ステッピングモータ１５ａ及び１６ａに送信されたパルス信号の数が、記憶部１７ａに記憶されることにより、上下フラップ１５及び左右フラップ１６の位置が把握される。
【００４７】
また、記憶部１７ａには、左右フラップ１６を移動させる方向（ステッピングモータ１６ａの回転方向）が記憶されており、制御部１７は、記憶部１７ａに記憶される当該方向に基づいて左右フラップ１６の移動方向を管理している。従って、前回の左右フラップ１６の移動の終了時点における左右フラップ１６の移動方向が、今回の左右フラップ１６の移動の開始時点における左右フラップ１６の移動方向（以下、動き出し方向）とする制御が可能となる。
【００４８】
また、本実施形態では、制御部１７は、上記した「右スイング範囲」，「中央スイング範囲」，「左スイング範囲」を基準位置Ｐ１（図３参照）からのパルス信号の数に基づいて設定している。具体的には、制御部１７は、「右スイング範囲」を基準位置Ｐ１からのパルス信号の数に基づいて設定する場合には、右側スイング角度（ＳＷＲＩＧＨＴ１）に対応するパルス信号の数と、左側スイング角度（ＳＷＬＥＦＴ２）に対応するパルス信号の数とに基づいて、そのスイング範囲を設定している。また、制御部１７は、「中央スイング範囲」を基準位置Ｐ１からのパルス信号の数に基づいて設定する場合には、左側スイング角度（ＳＷＬＥＦＴ１）に対応するパルス信号の数と、右側スイング角度（ＳＷＲＩＧＨＴ１）に対応するパルス信号の数とに基づいて、そのスイング範囲を設定している。また、制御部１７は、「左スイング範囲」を基準位置Ｐ１からのパルス信号の数に基づいて設定する場合には、左側スイング角度（ＳＷＬＥＦＴ１）に対応するパルス信号の数と、右側スイング角度（ＳＷＲＩＧＨＴ２）に対応するパルス信号の数とに基づいてスイング範囲を設定している。なお、この「基準位置」は、左右フラップ１６が移動することが可能な可動範囲の一方端部であって、当該左右フラップ１６の左側構造当たりＰ１に相当する位置である。従って、パルス信号を送信していないにも関わらず左右フラップ１６が移動された場合（例えば、ユーザの誤った使い方によって左右フラップ１６が手で移動された場合）には、制御部１７が想定しているスイング範囲と、実際に左右フラップ１６が移動する範囲とが異なることになる。
【００４９】
そこで、本実施形態では、制御部１７は、左右フラップ１６のスイング範囲が、「右スイング範囲」，「中央スイング範囲」，「左スイング範囲」に設定されている場合において、左右フラップ１６を移動させる際に、一旦左右フラップ１６を基準位置Ｐ１に戻す。左右フラップ１６を基準位置Ｐ１に戻すタイミングとしては、スイング範囲が、「右スイング範囲」，「中央スイング範囲」，「左スイング範囲」に設定されている場合において、室内機１ａの運転を開始する時である。「左右スイング」及び「立体スイング」が設定されているか否かは、記憶部１７ａに記憶されているので、制御部１７は、室内機１ａの運転を開始する際に、「左右スイング」及び「立体スイング」が設定されているか否かを確認して、当該設定がなされている場合には、左右フラップ１６を一旦基準位置Ｐ１に戻してから、設定されたスイング範囲で左右フラップ１６を往復移動させる。
【００５０】
また、本実施形態では、制御部１７は、左右フラップ１６が基準位置Ｐ１に向かって移動するときに、左右フラップ１６を基準位置Ｐ１に戻すようにしている。つまり、左右フラップ１６の動き出し方向が、図１１に示すように、基準位置Ｐ１から離れる方向（Ｘ１方向）の場合には、スイング範囲のＸ１方向の端部（図１１では、右側スイング角度：ＳＷＲＩＧＨＴ２）まで左右フラップ１６を移動させてから基準位置Ｐ１に戻す。これに対して、左右フラップ１６の動き出し方向が、図１２に示すように、基準位置Ｐ１に近づく方向（Ｘ２方向）の場合には、直ちに左右フラップ１６を基準位置Ｐ１に戻す。そして、左右フラップ１６を基準位置Ｐ１に戻した後、当該基準位置Ｐ１からのパルス信号の数に基づいて設定されるスイング範囲で左右フラップ１６がスイングされる。
【００５１】
図１３は、本発明の第１実施形態に係る左右フラップ１６の原点補正動作を説明するためのフローチャートである。次に、図１３を参照して、第１実施形態における左右フラップ１６の原点補正動作を説明する。
【００５２】
最初に、室内機１ａの制御部１７は、室内機１ａの運転を開始させる運転開始指令を受信したか否かを判断する（ステップＳ１）。そして、リモコン１ｃから送信される前記運転開始指令を受信したと判断した場合には（ステップＳ１：Ｙｅｓ）、制御部１７は、左右フラップ１６の移動に係る「立体スイング」又は「左右スイング」の設定がなされているか否かを判断する（ステップＳ２）。そして、「立体スイング」又は「左右スイング」の設定がなされている場合には（ステップＳ２：Ｙｅｓ）、制御部１７は、左右フラップ１６のスイング範囲が可動範囲の一部に設定されているか否かを判断する（ステップＳ３）。つまり、本実施形態では、制御部１７は、室内機１ａの据付位置の設定により左右フラップ１６のスイング範囲が「右スイング範囲」，「中央スイング範囲」，「左スイング範囲」のいずれかに設定されているか否かを判断する（ステップＳ３）。
【００５３】
一方、「立体スイング」又は「左右スイング」の設定がなされていない場合には（ステップＳ２：Ｎｏ）、左右フラップ１６の往復移動を行わないので、左右フラップ１６の原点補正を行わずに終了する（ステップＳ２：Ｎｏ）。
【００５４】
そして、ステップＳ３において、左右フラップ１６のスイング範囲が設定されている場合には（ステップＳ３：Ｙｅｓ）、制御部１７は、当該左右フラップ１６を一旦基準位置Ｐ１に戻してから（ステップＳ４）、当該基準位置Ｐ１からのパルス信号の数に基づいて設定されるスイング範囲内で左右フラップ１６の往復移動を開始する（ステップＳ５）。
【００５５】
これに対して、左右フラップ１６のスイング範囲が設定されていない場合には（ステップＳ３：Ｎｏ）、原点補正動作（ステップＳ４）を行わず、左右フラップ１６の往復移動を開始する（ステップＳ５）。この場合、左右フラップ１６は、当該左右フラップ１６が移動することが可能な可動範囲で往復移動するため、積極的に左右フラップ１６を基準位置Ｐ１に戻さなくても、構造当たりＰ１又はＰ２で左右フラップ１６の移動が規制されることにより自動的に左右フラップ１６の原点補正がなされることになる。
【００５６】
空気調和機の運転前から、左右フラップ１６の移動に係る「立体スイング」又は「左右スイング」の設定がなされ、且つ、室内機１ａの据付位置の設定（スイング範囲が「右スイング範囲」，「中央スイング範囲」，「左スイング範囲」のいずれかに設定）がなされている場合には、上記のようにして、左右フラップ１６の原点補正動作を行う。
【００５７】
［第１実施形態の空気調和機の特徴］
本実施形態の空気調和機１には、以下のような特徴がある。
【００５８】
本実施形態の空気調和機１では、左右フラップ１６のスイング範囲が設定されている場合には左右フラップ１６が一旦基準位置Ｐ１に戻されるので、スイング範囲外で左右フラップ１６が移動してしまうのを防止することができる。従って、ユーザの誤った使い方等によって左右フラップ１６が移動された場合でも、設定された適正なスイング範囲で左右フラップ１６を移動させることができる。
【００５９】
また、本実施形態の空気調和機１では、基準位置Ｐ１からのパルス数に基づいてスイング範囲が設定されているので、左右フラップ１６を一旦基準位置Ｐ１に戻すことによって、基準位置Ｐ１からのパルス数に基づいて設定されたスイング範囲で左右フラップ１６を移動させることが容易になる。
【００６０】
また、本実施形態の空気調和機１では、左右フラップ１６の往復移動の起点となる可動範囲の端部を基準位置Ｐ１にすることにより、左右フラップ１６を確実に基準位置Ｐ１に戻すことができる。
【００６１】
また、本実施形態の空気調和機１では、空気調和機の運転開始時に左右フラップ１６を基準位置Ｐ１に戻すことによって、ユーザに違和感が無いように左右フラップ１６の原点補正動作を行うことができる。
【００６２】
また、本実施形態の空気調和機１では、左右フラップ１６が基準位置Ｐ１に向かって移動する際に、その移動方向を変えることなく左右フラップ１６が基準位置Ｐ１に戻されるので、ユーザに違和感が無いように左右フラップ１６の原点補正動作を行うことができる。
【００６３】
また、本実施形態の空気調和機１では、ユーザの誤った使い方等によって左右フラップ１６が所定のスイング範囲外に移動された場合でも、据付位置に応じて設定された適正なスイング範囲で左右フラップ１６を移動させることができる。
【００６４】
（第２実施形態）
図１４は、本発明の第２実施形態に係る左右フラップの原点補正動作を説明するためのフローチャートである。次に、図１４を参照して、第２実施形態における左右フラップ１６の原点補正動作を説明する。なお、この第２実施形態の空気調和機は、上記した第１実施形態の空気調和機に対して、左右フラップ１６の原点補正動作を行うタイミングが異なっている。
【００６５】
左右フラップ１６を停止させている空気調和機１の運転状態において、制御部１７は、リモコン１ｃから送信される立体スイング指令又は左右スイング指令を受信したか否かを判断する（ステップＳ１１）。この「立体スイング指令」は、リモコン１ｃの操作部２１に配置される上下風向ボタン２１ｅ（図８参照）及び左右風向ボタン２１ｆ（図８参照）を押下することによって送信される信号であり、「左右スイング指令」は、リモコン１ｃの操作部２１に配置される左右風向ボタン２１ｆを押下することによって送信される信号である。そして、立体スイング指令又は左右スイング指令を受信したと制御部１７が判断した場合には（ステップＳ１１：Ｙｅｓ）、制御部１７は、左右フラップ１６のスイング範囲が可動範囲の一部に設定されているか否かを判断する（ステップＳ１２）。つまり、本実施形態では、制御部１７は、室内機１ａの据付位置の設定により左右フラップ１６のスイング範囲が「右スイング範囲」，「中央スイング範囲」，「左スイング範囲」のいずれかに設定されているか否かを判断する（ステップＳ１２）。
【００６６】
一方、立体スイング指令又は左右スイング指令を受信しない場合は（ステップＳ１１：Ｎｏ）、左右フラップ１６の往復移動を行わないので、左右フラップ１６の原点補正を行わずに終了する（ステップＳ１１：Ｎｏ）。
【００６７】
そして、ステップＳ１２において、左右フラップ１６のスイング範囲が設定されている場合には（ステップＳ１２：Ｙｅｓ）、制御部１７は、当該左右フラップ１６を一旦基準位置Ｐ１に戻してから（ステップＳ１３）、当該基準位置Ｐ１からのパルス信号の数に基づいて設定されるスイング範囲内で左右フラップ１６の往復移動を開始する（ステップＳ１４）。
【００６８】
これに対して、左右フラップ１６のスイング範囲が設定されていない場合には（ステップＳ１２：Ｎｏ）、原点補正動作（ステップＳ１３）を行わず、左右フラップ１６の往復移動を開始する（ステップＳ１４）。この場合、左右フラップ１６は、当該左右フラップ１６が移動することが可能な可動範囲で往復移動するため、積極的に左右フラップ１６を基準位置Ｐ１に戻さなくても、構造当たりで左右フラップ１６の移動が規制されることにより自動的に左右フラップ１６の原点補正がなされることになる。
【００６９】
空気調和機の運転中に、左右フラップ１６の移動に係る「立体スイング」又は「左右スイング」の設定がなされ、且つ、室内機１ａの据付位置の設定（スイング範囲が「右スイング範囲」，「中央スイング範囲」，「左スイング範囲」のいずれかに設定）がなされている場合には、上記のようにして、左右フラップ１６の原点補正動作を行う。
【００７０】
［第２実施形態の空気調和機の特徴］
本実施形態の空気調和機には、以下のような特徴がある。
【００７１】
本実施形態の空気調和機では、空気調和機の運転中に左右フラップ１６の移動を開始する際に、左右フラップ１６を基準位置Ｐ１に戻すことによって、ユーザに違和感が無いように左右フラップ１６の原点補正動作を行うことができる。
【００７２】
（第３実施形態）
図１５は、本発明の第３実施形態に係る左右フラップの原点補正動作を説明するためのフローチャートである。次に、図１５を参照して、第３実施形態における左右フラップ１６の原点補正動作を説明する。なお、この第３実施形態の空気調和機は、上記した第１実施形態及び第２実施形態の空気調和機に対して、左右フラップ１６の原点補正動作を行うタイミングが異なっている。
【００７３】
室内機１ａの制御部１７は、リモコン１ｃから送信されるスイング範囲設定指令を受信したか否かを判断する（ステップＳ１１）。この「スイング範囲設定指令」は、据付位置選択画面（図９参照）において、「左」，「中央」，「右」のいずれかを決定ボタン２１ｄ（図８参照）により選択することによって送信される信号である。そして、当該スイング範囲設定指令を受信したと制御部１７が判断した場合には（ステップＳ２１：Ｙｅｓ）、制御部１７は、当該左右フラップ１６を一旦基準位置Ｐ１に戻す（ステップＳ２２）。
【００７４】
つまり、この空気調和機では、スイング範囲が「右スイング範囲」，「中央スイング範囲」，「左スイング範囲」のいずれかに設定されたタイミングで、左右フラップ１６の原点補正動作を行う。
【００７５】
［第３実施形態の空気調和機の特徴］
本実施形態の空気調和機には、以下のような特徴がある。
【００７６】
本実施形態の空気調和機では、左右フラップ１６のスイング範囲が設定された時に左右フラップ１６を基準位置Ｐ１に戻すことによって、ユーザに違和感が無いように左右フラップ１６の原点補正動作を行うことができる。
【００７７】
（第４実施形態）
図１６は、左右フラップ１６のスイング範囲及び基準位置を示した模式図である。次に、図１６を参照して、第４実施形態における空気調和機について説明する。
【００７８】
この空気調和機では、左右フラップ１６は、図１６に示すように、左右フラップ１６が移動することが可能な可動範囲の一方端部である左側構造当たりＰ４１から、他方端部である右側構造当たりＰ４２まで移動することが可能である。そして、本実施形態では、左右フラップ１６の原点補正をする際に、左右フラップ１６が一旦戻される位置となる基準位置Ｐ４１及びＰ４２が、スイング範囲（「右スイング範囲」，「中央スイング範囲」，「左スイング範囲」）の両側に配置されている。
【００７９】
［第４実施形態の空気調和機の特徴］
本実施形態の空気調和機には、以下のような特徴がある。
【００８０】
本実施形態の空気調和機では、スイング範囲の両側の２箇所に基準位置Ｐ４１及びＰ４２を設けることによって、左右フラップ１６から近い方を基準位置とすることが可能となる。具体的には、スイング範囲が「左スイング範囲」に設定されている場合には、左側構造当たりＰ４１を基準位置にし、スイング範囲が「右スイング範囲」に設定されている場合には、右側構造当たりＰ４２を基準位置にする制御が可能となる。これにより、基準位置が１つの場合に比べて、左右フラップ１６を基準位置まで戻すのに要する時間が短縮され、ユーザに対して違和感が無いように左右フラップ１６の原点補正動作を行うことができる。
【００８１】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００８２】
例えば、上記実施形態では、スイング範囲（「右スイング範囲」，「中央スイング範囲」，「左スイング範囲」）を基準位置Ｐ１からのパルス信号の数に基づいて設定する例について説明したが、本発明はこれに限らず、スイング範囲を、基準位置からの角度に基づいて設定してもよいし、基準位置からの移動時間に基づいて設定してもよい。本発明では、風向変更フラップ（左右フラップ）が基準位置に一旦戻されるので、いずれの場合でも風向変更フラップ（左右フラップ）を適正なスイング範囲でスイングさせることができる。
【００８３】
また、上記実施形態では、室内機の据付位置に基づいて左右フラップのスイング範囲が設定される例について説明したが、本発明はこれに限らず、図１７に示す変形例のように、ユーザの居住空間Ａが部屋の一方側に偏っている場合など、室内機の据付位置に関わらず、ユーザは任意に左右フラップのスイング範囲を設定することも可能である。従って、本発明では、室内機の据付位置の設定がなされなくても、左右フラップのスイング範囲が可動範囲の一部に設定されている場合には、左右フラップを移動させる際に当該左右フラップを基準位置に戻す本発明を適用することが可能である。
【００８４】
また、上記実施形態では、室内機の据付位置をリモコンの操作により選択する例について説明したが、本発明はこれに限らず、室内機に設けられるセンサなどを用いて室内機と壁面との距離から室内機の据付位置を自動的に認識し、左右フラップのスイング範囲を設定してもよい。
【産業上の利用可能性】
【００８５】
本発明を利用すれば、設定したスイング範囲外で左右フラップが移動するのを防止するが可能な空気調和機を得ることができる。
【図面の簡単な説明】
【００８６】
【図１】本発明の一実施形態に係る空気調和機の全体構成を示した斜視図である。
【図２】室内機の内部構成を示した側面図である。
【図３】左右フラップのスイング範囲及び基準位置を示した模式図である。
【図４】室内機の据付位置とその室内機の吹出口から吹き出される風向との関係を示した模式図である。
【図５】室内機の据付位置とその室内機の吹出口から吹き出される風向との関係を示した模式図である。
【図６】室内機の据付位置とその室内機の吹出口から吹き出される風向との関係を示した模式図である。
【図７】蓋部を閉じた状態のリモコンを示した正面図である。
【図８】蓋部を開けた状態のリモコンを示した正面図である。
【図９】リモコンの表示部に表示される据付位置選択画面である。
【図１０】図１に示した空気調和機の室内機及びリモコンの制御ブロック図である。
【図１１】左右フラップの動き出し方向と原点補正動作との関係を示した模式図である。
【図１２】左右フラップの動き出し方向と原点補正動作との関係を示した模式図である。
【図１３】本発明の第１実施形態に係る左右フラップの原点補正動作を説明するためのフローチャートである。
【図１４】本発明の第２実施形態に係る左右フラップの原点補正動作を説明するためのフローチャートである。
【図１５】本発明の第３実施形態に係る左右フラップの原点補正動作を説明するためのフローチャートである。
【図１６】本発明の第４実施形態に係る空気調和機の左右フラップのスイング範囲及び基準位置を示した模式図である。
【図１７】スイング範囲が設定された変形例に係る室内機とその室内機の吹出口から吹き出される風向との関係とを示した模式図である。
【図１８】従来の一例による空気調和機のスイング範囲がずれてしまう問題点を説明するための模式図である。
【符号の説明】
【００８７】
１  空気調和機
１ａ  室内機
１４  吹出口
１６  左右フラップ（風向変更フラップ）
１７  制御部（制御手段）
Ｐ１、Ｐ４１、Ｐ４２  基準位置
【図１】
2010121870.tif 000003
【図２】
2010121870.tif 000004
【図３】
2010121870.tif 000005
【図４】
2010121870.tif 000006
【図５】
2010121870.tif 000007
【図６】
2010121870.tif 000008
【図７】
2010121870.tif 000009
【図８】
2010121870.tif 000010
【図９】
2010121870.tif 000011
【図１０】
2010121870.tif 000012
【図１１】
2010121870.tif 000013
【図１２】
2010121870.tif 000014
【図１３】
2010121870.tif 000015
【図１４】
2010121870.tif 000016
【図１５】
2010121870.tif 000017
【図１６】
2010121870.tif 000018
【図１７】
2010121870.tif 000019
【図１８】
2010121870.tif 000020
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
室内機の吹出口から吹き出される左右方向の風向を変更する風向変更フラップと、
前記風向変更フラップの移動を制御する制御手段とを備え、
前記制御手段は、前記風向変更フラップが移動することが可能な可動範囲の一部に設定されたスイング範囲において前記風向変更フラップをスイングさせる場合において、
前回の前記風向変更フラップの移動の終了時点における前記風向変更フラップの移動方向へ動き出すように前記風向変更フラップの移動を開始させ、
前記風向変更フラップの動き出し方向が、基準位置から離れる方向の場合には、前記スイング範囲の前記基準位置と反対側端部まで前記風向変更フラップを移動させてから前記基準位置に戻すと共に、
前記風向変更フラップの動き出し方向が、前記基準位置に近づく方向の場合には、直ちに前記風向変更フラップを前記基準位置に戻すことを特徴とする、空気調和機。
【請求項２】
前記スイング範囲は、前記基準位置からの距離に基づいて設定されていることを特徴とする、請求項１に記載の空気調和機。
【請求項３】
前記基準位置は、前記可動範囲の端部に対応した位置に配置されることを特徴とする、請求項１又は２に記載の空気調和機。
【請求項４】
前記制御手段は、前記スイング範囲の両側に配置された２箇所の基準位置のうちで前記スイング範囲から近い方の基準位置に、前記風向変更フラップを戻すことを特徴とする、請求項１〜３のいずれか１項に記載の空気調和機。
【請求項５】
前記制御手段は、前記スイング範囲が前記可動範囲の一部に設定されている場合において、前記室内機の運転開始時に、前記風向変更フラップを基準位置に戻すことを特徴とする、請求項１〜４のいずれか１項に記載の空気調和機。
【請求項６】
前記制御手段は、前記スイング範囲が前記可動範囲の一部に設定されている場合において、前記風向変更フラップの移動を開始する際に、前記風向変更フラップを基準位置に戻すことを特徴とする、請求項１〜５のいずれか１項に記載の空気調和機。
【請求項７】
前記制御手段は、前記スイング範囲が前記可動範囲の一部に設定された時に、前記風向変更フラップを基準位置に戻すことを特徴とする、請求項１〜６のいずれか１項に記載の
空気調和機。
【請求項８】
前記風向変更フラップのスイング範囲は、前記室内機の据付位置に基づいて設定されることを特徴とする、請求項１〜７のいずれか１項に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、室内機の吹出口から吹き出される左右方向の風向を変更する風向変更フラップを備えた空気調和機に関する。
【背景技術】
【０００２】
近年、室内機の据付位置に応じて吹出口から吹き出される左右方向の風向を所望の範囲に設定することが可能な空気調和機が開発されている（例えば、特許文献１及び２参照）。この特許文献１及び２には、リモコン等の操作によって選択される据付位置に応じて、風向変更フラップの可動範囲が自動的に設定される技術が開示されている。
【特許文献１】特開平４−６２３４９号公報
【特許文献２】特開平６−５０５８８号公報
【発明の開示】
【発明が解決しようとする課題】
【０００３】
上記特許文献１及び２において、一例として室内機が部屋の左側に据え付けられた場合には、図１８に示すように、風向変更フラップ１１６のスイング範囲が右側に偏った範囲（図１８（ａ）の斜線範囲）に設定される。しかしながら、図１８（ｂ）に示すように、ユーザが手で風向変更フラップを移動させる等の誤った使い方等によって、風向変更フラップ１１６が移動された場合には、図１８（ａ）に示したスイング範囲（斜線範囲）で移動させたいにも関わらず、風向変更フラップ１１６が移動された分だけ、図１８（ａ）に示したスイング範囲（斜線範囲）からずれた範囲（図１８（ｂ）の斜線範囲）で移動してしまう。
【０００４】
そこで、この発明は、上記のような課題を解決するためになされたものであり、設定したスイング範囲外で風向変更フラップが移動するのを防止することが可能な空気調和機を提供することを目的とする。
【課題を解決するための手段】
【０００５】
第１の発明にかかる空気調和機は、室内機の吹出口から吹き出される左右方向の風向を変更する風向変更フラップと、前記風向変更フラップの移動を制御する制御手段とを備え、前記制御手段は、前記風向変更フラップが移動することが可能な可動範囲の一部に設定されたスイング範囲において前記風向変更フラップをスイングさせる場合において、前回の前記風向変更フラップの移動の終了時点における前記風向変更フラップの移動方向へ動き出すように前記風向変更フラップの移動を開始させ、前記風向変更フラップの動き出し方向が、基準位置から離れる方向の場合には、前記スイング範囲の前記基準位置と反対側端部まで前記風向変更フラップを移動させてから前記基準位置に戻すと共に、前記風向変更フラップの動き出し方向が、前記基準位置に近づく方向の場合には、直ちに前記風向変更フラップを前記基準位置に戻すことを特徴としている。
【０００６】
この空気調和機では、風向変更フラップのスイング範囲が設定されている場合には風向変更フラップが一旦基準位置に戻されるので、スイング範囲外で風向変更フラップが移動してしまうのを防止することができる。従って、ユーザが手で風向変更フラップを移動させる等の誤った使い方等によって、風向変更フラップが移動された場合でも、適正なスイング範囲で風向変更フラップを移動させることができる。
また、風向変更フラップが基準位置に向かって移動する際に、その移動方向を変えることなく風向変更フラップが基準位置に戻されるので、ユーザに違和感が無いように風向変更フラップの原点補正動作を行うことができる。
【０００７】
第２の発明にかかる空気調和機は、第１の発明にかかる空気調和機において、スイング範囲は、基準位置からの距離に基づいて設定されている。なお、この「基準位置からの距離に基づいて設定」には、「基準位置からの角度に基づいて設定」、「基準位置からのステッピングモータに供給されるパルス数に基づいて設定」、及び、「基準位置からの移動時間に基づいて設定」が含まれる。
【０００８】
この空気調和機では、基準位置からの距離に基づいてスイング範囲が設定されているので、風向変更フラップを一旦基準位置に戻すことによって、基準位置からの距離に基づいて設定されたスイング範囲で風向変更フラップを移動させることが容易になる。
【０００９】
第３の発明にかかる空気調和機は、第１又は第２の発明にかかる空気調和機において、基準位置は、可動範囲の端部に対応した位置に配置される。
【００１０】
この空気調和機では、風向変更フラップの往復移動の起点となる可動範囲の端部を基準位置にすることにより、風向変更フラップを確実に基準位置に戻すことができる。
【００１１】
第４の発明にかかる空気調和機は、第１〜第３のいずれかの発明にかかる空気調和機において、前記制御手段は、前記スイング範囲の両側に配置された２箇所の基準位置のうちで前記スイング範囲から近い方の基準位置に、前記風向変更フラップを戻す。
【００１２】
この空気調和機では、スイング範囲の両側の２箇所に基準位置を配置して、スイング範囲から近い方を基準位置とすることによって、風向変更フラップを基準位置まで戻すのに要する時間が短縮され、ユーザに対して違和感が無いように風向変更フラップの原点補正動作を行うことができる。
【００１３】
第５の発明にかかる空気調和機は、第１〜４のいずれかの発明にかかる空気調和機において、制御手段は、スイング範囲が可動範囲の一部に設定されている場合において、室内機の運転開始時に、風向変更フラップを基準位置に戻す。
【００１４】
この空気調和機では、空気調和機の運転開始時に風向変更フラップを基準位置に戻すことによって、ユーザに違和感が無いように風向変更フラップの原点補正動作を行うことができる。
【００１５】
第６の発明にかかる空気調和機は、第１〜第５のいずれかの発明にかかる空気調和機において、制御手段は、スイング範囲が可動範囲の一部に設定されている場合において、風向変更フラップの移動を開始する際に、風向変更フラップを基準位置に戻す。
【００１６】
この空気調和機では、風向変更フラップの移動を開始する際に風向変更フラップを基準位置に戻すことによって、ユーザに違和感が無いように風向変更フラップの原点補正動作を行うことができる。
【００１７】
第７の発明にかかる空気調和機は、第１〜第６のいずれかの発明にかかる空気調和機において、制御手段は、スイング範囲が可動範囲の一部に設定された時に、風向変更フラップを基準位置に戻す。
【００１８】
この空気調和機では、風向変更フラップのスイング範囲が設定された時に風向変更フラップを基準位置に戻すことによって、ユーザに違和感が無いように風向変更フラップの原点補正動作を行うことができる。
【００１９】
【００２０】
【００２１】
第８の発明にかかる空気調和機は、第１〜第７の発明のいずれかにかかる空気調和機において、風向変更フラップのスイング範囲は、室内機の据付位置に基づいて設定される。
【００２２】
この空気調和機では、ユーザの誤った使い方等によって風向変更フラップが所定のスイング範囲外に移動された場合でも、据付位置に応じて設定された適正なスイング範囲で風向変更フラップを移動させることができる。
【発明の効果】
【００２３】
以上の説明に述べたように、本発明によれば、以下の効果が得られる。
【００２４】
第１の発明では、風向変更フラップのスイング範囲が設定されている場合には風向変更フラップが一旦基準位置に戻されるので、スイング範囲外で風向変更フラップが移動してしまうのを防止することができる。従って、ユーザが手で風向変更フラップを移動させる等の誤った使い方等によって風向変更フラップが移動された場合でも、適正なスイング範囲で風向変更フラップを移動させることができる。
また、風向変更フラップが基準位置に向かって移動する際に、その移動方向を変えることなく風向変更フラップが基準位置に戻されるので、ユーザに違和感が無いように風向変更フラップの原点補正動作を行うことができる。
【００２５】
また、第２の発明では、基準位置からの距離に基づいてスイング範囲が設定されているので、風向変更フラップを一旦基準位置に戻すことによって、基準位置からの距離に基づいて設定されたスイング範囲で風向変更フラップを移動させることが容易になる。
【００２６】
また、第３の発明では、風向変更フラップの往復移動の起点となる可動範囲の端部を基準位置をすることにより、風向変更フラップを確実に基準位置に戻すことができる。
【００２７】
また、第４の発明では、スイング範囲の両側の２箇所に基準位置を配置して、スイング範囲から近い方を基準位置とすることによって、風向変更フラップを基準位置まで戻すのに要する時間が短縮され、ユーザに対して違和感が無いように風向変更フラップの原点補正動作を行うことができる。
【００２８】
また、第５の発明では、空気調和機の運転開始時に風向変更フラップを基準位置に戻すことによって、ユーザに違和感が無いように風向変更フラップの原点補正動作を行うことができる。
【００２９】
また、第６の発明では、風向変更フラップの移動を開始する際に風向変更フラップを基準位置に戻すことによって、ユーザに違和感が無いように風向変更フラップの原点補正動作を行うことができる。
【００３０】
また、第７の発明では、風向変更フラップのスイング範囲が設定された時に風向変更フラップを基準位置に戻すことによって、ユーザに違和感が無いように風向変更フラップの原点補正動作を行うことができる。
【００３１】
【００３２】
また、第８の発明では、ユーザの誤った使い方等によって風向変更フラップが所定のスイング範囲外に移動された場合でも、据付位置に応じて設定された適正なスイング範囲で風向変更フラップを移動させることができる。
【発明を実施するための最良の形態】
【００３３】
以下、図面に基づいて、本発明に係る空気調和機の実施形態について説明する。
【００３４】
図１は、本発明の一実施形態に係る空気調和機の全体構成を示した斜視図である。図２は、室内機の内部構成を示した側面図である。図３は、左右フラップのスイング範囲及び基準位置を示した模式図である。図４〜図６は、室内機の据付位置とその室内機の吹出口から吹き出される風向との関係を示した模式図である。図７は、蓋部を閉じた状態のリモコンを示した正面図であり、図８は、蓋部を開けた状態のリモコンを示した正面図である。図９は、リモコンの表示部に表示される据付位置選択画面である。以下、図１〜図９を参照して、本発明の一実施形態に係る空気調和機１について詳細に説明する。
【００３５】
この空気調和機１は、図１に示すように、室内の壁面等に設置される室内機１ａと、室外に設置される室外機１ｂと、室内機１ａと通信可能なリモコン１ｃとを備えている。
【００３６】
［室内機］
室内機１ａは、図２に示すように、主として、ケーシング１０と、そのケーシング１０内に配置される室内熱交換器１１及びファン１２とを備えている。このケーシング１０の上部には吸込口１３が設けられると共に、下部には吹出口１４が設けられている。ファン１２が駆動することによって吸込口１３から吸い込まれた室内空気は、室内熱交換器１１を通過することによって熱交換されて、吹出口１４を介して室内に吹き出される。ファン１２から吹出口１４に至る流路上には、吹出口１４に近い方から順に、上下フラップ１５，左右フラップ１６が配置されている。
【００３７】
上下フラップ１５は、吹出口１４から吹き出される空気の上下方向（Ｚ方向（図１及び図２参照））の風向を制御するために設けられている。この上下フラップ１５は、吹出口１４を閉鎖する閉状態から吹出口１４を開口する開状態に往復移動可能である。上下フラップ１５の移動は、リモコン１ｃの操作によって制御可能であって、ユーザによるリモコン１ｃの操作によって「上下スイング」又は「立体スイング」が選択されると、当該上下フラップ１５は上下方向に往復移動を開始する。なお、「上下スイング」とは、上下フラップ１５のみを往復移動させる制御をいい、「立体スイング」とは、上下フラップ１５と左右フラップ１６とを同時に往復移動させる制御をいう。
【００３８】
左右フラップ１６は、吹出口１４から吹き出される空気の左右方向（Ｘ方向（図１参照））の風向を制御するために設けられている。この左右フラップ１６は、図３に示すように、左右フラップ１６が移動する範囲を規制する左側構造当たりＰ１から右側構造当たりＰ２まで移動可能である。以下、この左側構造当たりＰ１から右側構造当たりＰ２までの、左右フラップ１６が移動することが可能な範囲を可動範囲とする。左右フラップ１６の移動は、リモコン１ｃの操作によって制御可能であって、ユーザによるリモコン１ｃの操作によって「左右スイング」又は「立体スイング」が選択されると、当該左右フラップ１６は左右方向に往復移動する。なお、「左右スイング」とは、左右フラップ１６のみを往復移動させる制御をいう。
【００３９】
また、本実施形態の室内機１ａでは、室内機１ａの据付位置に応じて吹出口１４から吹き出される左右方向の風向を所望の範囲に設定することが可能である。つまり、この室内機１ａでは、据付位置に応じて、左右フラップ１６が移動する範囲を上記した可動範囲の一部に設定することが可能である。以下、この左右フラップ１６の移動が設定された範囲をスイング範囲とする。具体的には、図４に示すように、室内の壁面の左側に室内機１ａを据え付ける場合（左側据付時）には、室内の右側に風が吹き出されるように、右側スイング角度（ＳＷＲＩＧＨＴ１）から左側スイング角度（ＳＷＬＥＦＴ２）までの範囲（以下、「右スイング範囲」とする）において左右フラップ１６のスイング範囲が限定される。また、図５に示すように、室内の壁面の中央部分に室内機１ａを据え付ける場合（中央据付時）には、吹出口１４から左右均等に風が吹き出されるように左側スイング角度（ＳＷＬＥＦＴ１）から右側スイング角度（ＳＷＲＩＧＨＴ１）までの範囲（以下、「中央スイング範囲」とする）において左右フラップ１６のスイング範囲が限定される。また、図６に示すように、室内の壁面の右側に室内機１ａを据え付ける場合（右側据付時）には、室内の左側に風が吹き出されるように左側スイング角度（ＳＷＬＥＦＴ１）から右側スイング角度（ＳＷＲＩＧＨＴ２）までの範囲において左右フラップ１６のスイング範囲（以下、「左スイング範囲」とする）が限定される。
【００４０】
［リモコン］
リモコン１ｃは、室内機１ａと赤外線通信可能であって、室内機１ａ及び室外機１ｂの制御に係る各種指令をユーザの操作に応じて送信する。このリモコン１ｃは、図７及び図８に示すように、主として、室内温度や設定温度等を表示する表示部２０と、各種ボタンを有する操作部２１とから構成されている。この操作部２１は、開閉可能な蓋部２２の外側に配置される運転／停止ボタン２１ａ，設定温度を変更する際に使用される温度調整ボタン２１ｂ等（図７参照）を有すると共に、当該蓋部２２の内側に配置されるメニューボタン２１ｃ，決定ボタン２１ｄ，風向変更ボタン（上下風向ボタン２１ｅ、左右風向ボタン２１ｆ）等（図８参照）を有している。
【００４１】
上記した「上下スイング」は、操作部２１に配置される上下風向ボタン２１ｅを押下することによって設定され、「左右スイング」は、操作部２１に配置される左右風向ボタン２１ｆを押下することによって設定され、「立体スイング」は、上下風向ボタン２１ｅ及び左右風向ボタン２１ｆを押下することによって設定される。
【００４２】
そして、本実施形態では、室内機１ａの据付位置に応じて左右フラップ１６のスイング範囲を可動範囲の一部に設定するには、操作部２１に配置されるメニューボタン２１ｃ（図８参照）を押下することによって表示部２０に表示される据付位置選択画面（図９参照）において、「左」，「中央」，「右」のいずれかを決定ボタン２１ｄ（図８参照）により選択する。これにより、「左」を選択した場合には、室内機１ａが左側据付だと認識して、左右フラップ１６のスイング範囲が右スイング範囲（図４（ｂ）参照）となり、「中央」を選択した場合には、室内機１ａが中央据付だと認識して、左右フラップ１６のスイング範囲が中央スイング範囲（図５（ｂ）参照）となり、「右」を選択した場合には、室内機１ａが右側据付だと認識して、左右フラップ１６のスイング範囲が左スイング範囲（図６（ｂ）参照）となる。
【００４３】
図１０は、図１に示した空気調和機の室内機及びリモコンの制御ブロック図である。図１１及び図１２は、左右フラップの動き出し方向と原点補正動作との関係を示した模式図である。次に、図１０を参照して、室内機１ａ及びリモコン１ｃの制御ブロックについて説明する。
【００４４】
リモコン１ｃには、リモコン１ｃの各部の動作を統括する制御部２３が設けられている。この制御部２３には、上記した操作部２１及び表示部２０と、赤外線送受信部２４とが接続されている。
【００４５】
また、室内機１ａには、室内機１ａの各部の動作を統括する制御部１７が設けられている。この制御部には、上下フラップ１５を移動させるステッピングモータ１５ａと、左右フラップ１６を移動させるステッピングモータ１６ａと、ファン１２を回転させるファンモータ１２ａと、リモコン１ｃの赤外線送受信部２４と通信可能に接続される赤外線送受信部１８とが接続されている。ステッピングモータ１５ａ及び１６ａは、制御部１７から送信されるパルス信号に応じて、その駆動が制御される。
【００４６】
本実施形態では、制御部１７は、ステッピングモータ１５ａ及び１６ａに送信したパルス信号の数に基づいて、上下フラップ１５及び左右フラップ１６の移動を制御している。そして、ステッピングモータ１５ａ及び１６ａに送信されたパルス信号の数が、記憶部１７ａに記憶されることにより、上下フラップ１５及び左右フラップ１６の位置が把握される。
【００４７】
また、記憶部１７ａには、左右フラップ１６を移動させる方向（ステッピングモータ１６ａの回転方向）が記憶されており、制御部１７は、記憶部１７ａに記憶される当該方向に基づいて左右フラップ１６の移動方向を管理している。従って、前回の左右フラップ１６の移動の終了時点における左右フラップ１６の移動方向が、今回の左右フラップ１６の移動の開始時点における左右フラップ１６の移動方向（以下、動き出し方向）とする制御が可能となる。
【００４８】
また、本実施形態では、制御部１７は、上記した「右スイング範囲」，「中央スイング範囲」，「左スイング範囲」を基準位置Ｐ１（図３参照）からのパルス信号の数に基づいて設定している。具体的には、制御部１７は、「右スイング範囲」を基準位置Ｐ１からのパルス信号の数に基づいて設定する場合には、右側スイング角度（ＳＷＲＩＧＨＴ１）に対応するパルス信号の数と、左側スイング角度（ＳＷＬＥＦＴ２）に対応するパルス信号の数とに基づいて、そのスイング範囲を設定している。また、制御部１７は、「中央スイング範囲」を基準位置Ｐ１からのパルス信号の数に基づいて設定する場合には、左側スイング角度（ＳＷＬＥＦＴ１）に対応するパルス信号の数と、右側スイング角度（ＳＷＲＩＧＨＴ１）に対応するパルス信号の数とに基づいて、そのスイング範囲を設定している。また、制御部１７は、「左スイング範囲」を基準位置Ｐ１からのパルス信号の数に基づいて設定する場合には、左側スイング角度（ＳＷＬＥＦＴ１）に対応するパルス信号の数と、右側スイング角度（ＳＷＲＩＧＨＴ２）に対応するパルス信号の数とに基づいてスイング範囲を設定している。なお、この「基準位置」は、左右フラップ１６が移動することが可能な可動範囲の一方端部であって、当該左右フラップ１６の左側構造当たりＰ１に相当する位置である。従って、パルス信号を送信していないにも関わらず左右フラップ１６が移動された場合（例えば、ユーザの誤った使い方によって左右フラップ１６が手で移動された場合）には、制御部１７が想定しているスイング範囲と、実際に左右フラップ１６が移動する範囲とが異なることになる。
【００４９】
そこで、本実施形態では、制御部１７は、左右フラップ１６のスイング範囲が、「右スイング範囲」，「中央スイング範囲」，「左スイング範囲」に設定されている場合において、左右フラップ１６を移動させる際に、一旦左右フラップ１６を基準位置Ｐ１に戻す。左右フラップ１６を基準位置Ｐ１に戻すタイミングとしては、スイング範囲が、「右スイング範囲」，「中央スイング範囲」，「左スイング範囲」に設定されている場合において、室内機１ａの運転を開始する時である。「左右スイング」及び「立体スイング」が設定されているか否かは、記憶部１７ａに記憶されているので、制御部１７は、室内機１ａの運転を開始する際に、「左右スイング」及び「立体スイング」が設定されているか否かを確認して、当該設定がなされている場合には、左右フラップ１６を一旦基準位置Ｐ１に戻してから、設定されたスイング範囲で左右フラップ１６を往復移動させる。
【００５０】
また、本実施形態では、制御部１７は、左右フラップ１６が基準位置Ｐ１に向かって移動するときに、左右フラップ１６を基準位置Ｐ１に戻すようにしている。つまり、左右フラップ１６の動き出し方向が、図１１に示すように、基準位置Ｐ１から離れる方向（Ｘ１方向）の場合には、スイング範囲のＸ１方向の端部（図１１では、右側スイング角度：ＳＷＲＩＧＨＴ２）まで左右フラップ１６を移動させてから基準位置Ｐ１に戻す。これに対して、左右フラップ１６の動き出し方向が、図１２に示すように、基準位置Ｐ１に近づく方向（Ｘ２方向）の場合には、直ちに左右フラップ１６を基準位置Ｐ１に戻す。そして、左右フラップ１６を基準位置Ｐ１に戻した後、当該基準位置Ｐ１からのパルス信号の数に基づいて設定されるスイング範囲で左右フラップ１６がスイングされる。
【００５１】
図１３は、本発明の第１実施形態に係る左右フラップ１６の原点補正動作を説明するためのフローチャートである。次に、図１３を参照して、第１実施形態における左右フラップ１６の原点補正動作を説明する。
【００５２】
最初に、室内機１ａの制御部１７は、室内機１ａの運転を開始させる運転開始指令を受信したか否かを判断する（ステップＳ１）。そして、リモコン１ｃから送信される前記運転開始指令を受信したと判断した場合には（ステップＳ１：Ｙｅｓ）、制御部１７は、左右フラップ１６の移動に係る「立体スイング」又は「左右スイング」の設定がなされているか否かを判断する（ステップＳ２）。そして、「立体スイング」又は「左右スイング」の設定がなされている場合には（ステップＳ２：Ｙｅｓ）、制御部１７は、左右フラップ１６のスイング範囲が可動範囲の一部に設定されているか否かを判断する（ステップＳ３）。つまり、本実施形態では、制御部１７は、室内機１ａの据付位置の設定により左右フラップ１６のスイング範囲が「右スイング範囲」，「中央スイング範囲」，「左スイング範囲」のいずれかに設定されているか否かを判断する（ステップＳ３）。
【００５３】
一方、「立体スイング」又は「左右スイング」の設定がなされていない場合には（ステップＳ２：Ｎｏ）、左右フラップ１６の往復移動を行わないので、左右フラップ１６の原点補正を行わずに終了する（ステップＳ２：Ｎｏ）。
【００５４】
そして、ステップＳ３において、左右フラップ１６のスイング範囲が設定されている場合には（ステップＳ３：Ｙｅｓ）、制御部１７は、当該左右フラップ１６を一旦基準位置Ｐ１に戻してから（ステップＳ４）、当該基準位置Ｐ１からのパルス信号の数に基づいて設定されるスイング範囲内で左右フラップ１６の往復移動を開始する（ステップＳ５）。
【００５５】
これに対して、左右フラップ１６のスイング範囲が設定されていない場合には（ステップＳ３：Ｎｏ）、原点補正動作（ステップＳ４）を行わず、左右フラップ１６の往復移動を開始する（ステップＳ５）。この場合、左右フラップ１６は、当該左右フラップ１６が移動することが可能な可動範囲で往復移動するため、積極的に左右フラップ１６を基準位置Ｐ１に戻さなくても、構造当たりＰ１又はＰ２で左右フラップ１６の移動が規制されることにより自動的に左右フラップ１６の原点補正がなされることになる。
【００５６】
空気調和機の運転前から、左右フラップ１６の移動に係る「立体スイング」又は「左右スイング」の設定がなされ、且つ、室内機１ａの据付位置の設定（スイング範囲が「右スイング範囲」，「中央スイング範囲」，「左スイング範囲」のいずれかに設定）がなされている場合には、上記のようにして、左右フラップ１６の原点補正動作を行う。
【００５７】
［第１実施形態の空気調和機の特徴］
本実施形態の空気調和機１には、以下のような特徴がある。
【００５８】
本実施形態の空気調和機１では、左右フラップ１６のスイング範囲が設定されている場合には左右フラップ１６が一旦基準位置Ｐ１に戻されるので、スイング範囲外で左右フラップ１６が移動してしまうのを防止することができる。従って、ユーザの誤った使い方等によって左右フラップ１６が移動された場合でも、設定された適正なスイング範囲で左右フラップ１６を移動させることができる。
【００５９】
また、本実施形態の空気調和機１では、基準位置Ｐ１からのパルス数に基づいてスイング範囲が設定されているので、左右フラップ１６を一旦基準位置Ｐ１に戻すことによって、基準位置Ｐ１からのパルス数に基づいて設定されたスイング範囲で左右フラップ１６を移動させることが容易になる。
【００６０】
また、本実施形態の空気調和機１では、左右フラップ１６の往復移動の起点となる可動範囲の端部を基準位置Ｐ１にすることにより、左右フラップ１６を確実に基準位置Ｐ１に戻すことができる。
【００６１】
また、本実施形態の空気調和機１では、空気調和機の運転開始時に左右フラップ１６を基準位置Ｐ１に戻すことによって、ユーザに違和感が無いように左右フラップ１６の原点補正動作を行うことができる。
【００６２】
また、本実施形態の空気調和機１では、左右フラップ１６が基準位置Ｐ１に向かって移動する際に、その移動方向を変えることなく左右フラップ１６が基準位置Ｐ１に戻されるので、ユーザに違和感が無いように左右フラップ１６の原点補正動作を行うことができる。
【００６３】
また、本実施形態の空気調和機１では、ユーザの誤った使い方等によって左右フラップ１６が所定のスイング範囲外に移動された場合でも、据付位置に応じて設定された適正なスイング範囲で左右フラップ１６を移動させることができる。
【００６４】
（第２実施形態）
図１４は、本発明の第２実施形態に係る左右フラップの原点補正動作を説明するためのフローチャートである。次に、図１４を参照して、第２実施形態における左右フラップ１６の原点補正動作を説明する。なお、この第２実施形態の空気調和機は、上記した第１実施形態の空気調和機に対して、左右フラップ１６の原点補正動作を行うタイミングが異なっている。
【００６５】
左右フラップ１６を停止させている空気調和機１の運転状態において、制御部１７は、リモコン１ｃから送信される立体スイング指令又は左右スイング指令を受信したか否かを判断する（ステップＳ１１）。この「立体スイング指令」は、リモコン１ｃの操作部２１に配置される上下風向ボタン２１ｅ（図８参照）及び左右風向ボタン２１ｆ（図８参照）を押下することによって送信される信号であり、「左右スイング指令」は、リモコン１ｃの操作部２１に配置される左右風向ボタン２１ｆを押下することによって送信される信号である。そして、立体スイング指令又は左右スイング指令を受信したと制御部１７が判断した場合には（ステップＳ１１：Ｙｅｓ）、制御部１７は、左右フラップ１６のスイング範囲が可動範囲の一部に設定されているか否かを判断する（ステップＳ１２）。つまり、本実施形態では、制御部１７は、室内機１ａの据付位置の設定により左右フラップ１６のスイング範囲が「右スイング範囲」，「中央スイング範囲」，「左スイング範囲」のいずれかに設定されているか否かを判断する（ステップＳ１２）。
【００６６】
一方、立体スイング指令又は左右スイング指令を受信しない場合は（ステップＳ１１：Ｎｏ）、左右フラップ１６の往復移動を行わないので、左右フラップ１６の原点補正を行わずに終了する（ステップＳ１１：Ｎｏ）。
【００６７】
そして、ステップＳ１２において、左右フラップ１６のスイング範囲が設定されている場合には（ステップＳ１２：Ｙｅｓ）、制御部１７は、当該左右フラップ１６を一旦基準位置Ｐ１に戻してから（ステップＳ１３）、当該基準位置Ｐ１からのパルス信号の数に基づいて設定されるスイング範囲内で左右フラップ１６の往復移動を開始する（ステップＳ１４）。
【００６８】
これに対して、左右フラップ１６のスイング範囲が設定されていない場合には（ステップＳ１２：Ｎｏ）、原点補正動作（ステップＳ１３）を行わず、左右フラップ１６の往復移動を開始する（ステップＳ１４）。この場合、左右フラップ１６は、当該左右フラップ１６が移動することが可能な可動範囲で往復移動するため、積極的に左右フラップ１６を基準位置Ｐ１に戻さなくても、構造当たりで左右フラップ１６の移動が規制されることにより自動的に左右フラップ１６の原点補正がなされることになる。
【００６９】
空気調和機の運転中に、左右フラップ１６の移動に係る「立体スイング」又は「左右スイング」の設定がなされ、且つ、室内機１ａの据付位置の設定（スイング範囲が「右スイング範囲」，「中央スイング範囲」，「左スイング範囲」のいずれかに設定）がなされている場合には、上記のようにして、左右フラップ１６の原点補正動作を行う。
【００７０】
［第２実施形態の空気調和機の特徴］
本実施形態の空気調和機には、以下のような特徴がある。
【００７１】
本実施形態の空気調和機では、空気調和機の運転中に左右フラップ１６の移動を開始する際に、左右フラップ１６を基準位置Ｐ１に戻すことによって、ユーザに違和感が無いように左右フラップ１６の原点補正動作を行うことができる。
【００７２】
（第３実施形態）
図１５は、本発明の第３実施形態に係る左右フラップの原点補正動作を説明するためのフローチャートである。次に、図１５を参照して、第３実施形態における左右フラップ１６の原点補正動作を説明する。なお、この第３実施形態の空気調和機は、上記した第１実施形態及び第２実施形態の空気調和機に対して、左右フラップ１６の原点補正動作を行うタイミングが異なっている。
【００７３】
室内機１ａの制御部１７は、リモコン１ｃから送信されるスイング範囲設定指令を受信したか否かを判断する（ステップＳ１１）。この「スイング範囲設定指令」は、据付位置選択画面（図９参照）において、「左」，「中央」，「右」のいずれかを決定ボタン２１ｄ（図８参照）により選択することによって送信される信号である。そして、当該スイング範囲設定指令を受信したと制御部１７が判断した場合には（ステップＳ２１：Ｙｅｓ）、制御部１７は、当該左右フラップ１６を一旦基準位置Ｐ１に戻す（ステップＳ２２）。
【００７４】
つまり、この空気調和機では、スイング範囲が「右スイング範囲」，「中央スイング範囲」，「左スイング範囲」のいずれかに設定されたタイミングで、左右フラップ１６の原点補正動作を行う。
【００７５】
［第３実施形態の空気調和機の特徴］
本実施形態の空気調和機には、以下のような特徴がある。
【００７６】
本実施形態の空気調和機では、左右フラップ１６のスイング範囲が設定された時に左右フラップ１６を基準位置Ｐ１に戻すことによって、ユーザに違和感が無いように左右フラップ１６の原点補正動作を行うことができる。
【００７７】
（第４実施形態）
図１６は、左右フラップ１６のスイング範囲及び基準位置を示した模式図である。次に、図１６を参照して、第４実施形態における空気調和機について説明する。
【００７８】
この空気調和機では、左右フラップ１６は、図１６に示すように、左右フラップ１６が移動することが可能な可動範囲の一方端部である左側構造当たりＰ４１から、他方端部である右側構造当たりＰ４２まで移動することが可能である。そして、本実施形態では、左右フラップ１６の原点補正をする際に、左右フラップ１６が一旦戻される位置となる基準位置Ｐ４１及びＰ４２が、スイング範囲（「右スイング範囲」，「中央スイング範囲」，「左スイング範囲」）の両側に配置されている。
【００７９】
［第４実施形態の空気調和機の特徴］
本実施形態の空気調和機には、以下のような特徴がある。
【００８０】
本実施形態の空気調和機では、スイング範囲の両側の２箇所に基準位置Ｐ４１及びＰ４２を設けることによって、左右フラップ１６から近い方を基準位置とすることが可能となる。具体的には、スイング範囲が「左スイング範囲」に設定されている場合には、左側構造当たりＰ４１を基準位置にし、スイング範囲が「右スイング範囲」に設定されている場合には、右側構造当たりＰ４２を基準位置にする制御が可能となる。これにより、基準位置が１つの場合に比べて、左右フラップ１６を基準位置まで戻すのに要する時間が短縮され、ユーザに対して違和感が無いように左右フラップ１６の原点補正動作を行うことができる。
【００８１】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００８２】
例えば、上記実施形態では、スイング範囲（「右スイング範囲」，「中央スイング範囲
」，「左スイング範囲」）を基準位置Ｐ１からのパルス信号の数に基づいて設定する例について説明したが、本発明はこれに限らず、スイング範囲を、基準位置からの角度に基づいて設定してもよいし、基準位置からの移動時間に基づいて設定してもよい。本発明では、風向変更フラップ（左右フラップ）が基準位置に一旦戻されるので、いずれの場合でも風向変更フラップ（左右フラップ）を適正なスイング範囲でスイングさせることができる。
【００８３】
また、上記実施形態では、室内機の据付位置に基づいて左右フラップのスイング範囲が設定される例について説明したが、本発明はこれに限らず、図１７に示す変形例のように、ユーザの居住空間Ａが部屋の一方側に偏っている場合など、室内機の据付位置に関わらず、ユーザは任意に左右フラップのスイング範囲を設定することも可能である。従って、本発明では、室内機の据付位置の設定がなされなくても、左右フラップのスイング範囲が可動範囲の一部に設定されている場合には、左右フラップを移動させる際に当該左右フラップを基準位置に戻す本発明を適用することが可能である。
【００８４】
また、上記実施形態では、室内機の据付位置をリモコンの操作により選択する例について説明したが、本発明はこれに限らず、室内機に設けられるセンサなどを用いて室内機と壁面との距離から室内機の据付位置を自動的に認識し、左右フラップのスイング範囲を設定してもよい。
【産業上の利用可能性】
【００８５】
本発明を利用すれば、設定したスイング範囲外で左右フラップが移動するのを防止するが可能な空気調和機を得ることができる。
【図面の簡単な説明】
【００８６】
【図１】本発明の一実施形態に係る空気調和機の全体構成を示した斜視図である。
【図２】室内機の内部構成を示した側面図である。
【図３】左右フラップのスイング範囲及び基準位置を示した模式図である。
【図４】室内機の据付位置とその室内機の吹出口から吹き出される風向との関係を示した模式図である。
【図５】室内機の据付位置とその室内機の吹出口から吹き出される風向との関係を示した模式図である。
【図６】室内機の据付位置とその室内機の吹出口から吹き出される風向との関係を示した模式図である。
【図７】蓋部を閉じた状態のリモコンを示した正面図である。
【図８】蓋部を開けた状態のリモコンを示した正面図である。
【図９】リモコンの表示部に表示される据付位置選択画面である。
【図１０】図１に示した空気調和機の室内機及びリモコンの制御ブロック図である。
【図１１】左右フラップの動き出し方向と原点補正動作との関係を示した模式図である。
【図１２】左右フラップの動き出し方向と原点補正動作との関係を示した模式図である。
【図１３】本発明の第１実施形態に係る左右フラップの原点補正動作を説明するためのフローチャートである。
【図１４】本発明の第２実施形態に係る左右フラップの原点補正動作を説明するためのフローチャートである。
【図１５】本発明の第３実施形態に係る左右フラップの原点補正動作を説明するためのフローチャートである。
【図１６】本発明の第４実施形態に係る空気調和機の左右フラップのスイング範囲及び基準位置を示した模式図である。
【図１７】スイング範囲が設定された変形例に係る室内機とその室内機の吹出口から吹き出される風向との関係とを示した模式図である。
【図１８】従来の一例による空気調和機のスイング範囲がずれてしまう問題点を説明するための模式図である。
【符号の説明】
【００８７】
１  空気調和機
１ａ  室内機
１４  吹出口
１６  左右フラップ（風向変更フラップ）
１７  制御部（制御手段）
Ｐ１、Ｐ４１、Ｐ４２  基準位置